(57)【要約】【課題】根腐れを防止し、自然薯等の栽培に適した複数の植物栽培部を有するプランタ装置を提供する。【解決手段】プランタは、平面視して矩形の底板と、この底板の外周に立設された側板と、この底板から上方に向かって突出したプランタリブとを有する。プランタ装置には、プランタ内部を、第１の植物栽培部と、第２の植物栽培部とに仕切る仕切部材を有する。仕切部材は、その上面から上方に向かって突出した仕切部材リブを有する。このプランタ装置には、１枚または複数枚の仕切部材を有する。【選択図】図１
2010273641.tif 000002
【特許請求の範囲】
【請求項１】
平面視して矩形の底板と、
この底板の外周に立設された側板とを有するプランタを備え、
このプランタの内部を、その上側領域に形成された第１の植物栽培部と、その下側領域に形成された第２の植物栽培部とに仕切る平面視して矩形で通水を許容する仕切部材が設けられ、
この仕切部材には、その上面から上方に向かって突出し、この仕切部材の長さ方向に延びる複数の仕切部材リブが設けられたプランタ装置。
【請求項２】
上記プランタの底板には、上方に向かって突出し、この底板の長さ方向に延びる複数のプランタリブが設けられた請求項１に記載のプランタ装置。
【請求項３】
平面視して矩形の底板と、
この底板の外周に立設された側板と、
この側板の下端に設けられた排水口と、を有するプランタにおいて、
この底板から上方に向かって突出し、この底板の長さ方向に延びる複数のリブが設けられたプランタ。
【発明の詳細な説明】
【技術分野】
【０００１】
この発明はプランタ装置およびプランタ、詳しくは根腐れを防止し、自然薯等の栽培に適した複数の植物栽培部を有するプランタ装置およびプランタに関する。
【背景技術】
【０００２】
花や野菜の世話が毎日はできなくても、花や野菜を良好に育てることができるプランタ装置が、特許文献１に開示されている。この特許文献１に記載のプランタ装置は、平面視して矩形の底板と、この底板の外周に立設された側板とを有している。この底板から上方に向かって突出して、複数のリブが設けられている。このプランタ装置では、その内部が仕切部材によって上側領域（植物栽培部）と下側領域（貯水部）とに仕切られている。
【先行技術文献】
【特許文献】
【０００３】
【特許文献１】実願平４−５０９７５号（実開平０６−５４３７号）のマイクロフィルム
【発明の概要】
【発明が解決しようとする課題】
【０００４】
しかしながら、特許文献１に記載の発明によれば、植物栽培部に水を供給しすぎた場合、この植物栽培部の下部に水が滞留する。その結果、植物が根腐れし、花や野菜を良好に育てることができない。
さらに、特許文献１に記載のプランタでは、自然薯、長芋等を真っ直ぐに育てることができない。
そこで、この発明は、植裁した植物についてその根腐れを防止することで、自然薯、人参、大根等の根菜の栽培に適した２段式のプランタ装置およびこれに使用するプランタを提供することを目的とする。
【課題を解決するための手段】
【０００５】
請求項１に記載の発明は、平面視して矩形の底板と、この底板の外周に立設された側板とを有するプランタを備え、このプランタの内部を、その上側領域に形成された第１の植物栽培部と、その下側領域に形成された第２の植物栽培部とに仕切る平面視して矩形で通水を許容する仕切部材が設けられ、この仕切部材には、その上面から上方に向かって突出し、この仕切部材の長さ方向に延びる複数の仕切部材リブが設けられたプランタ装置である。
【０００６】
請求項１に記載の発明によれば、第１の植物栽培部に水を供給しすぎた場合、通水性を有する仕切部材を設けていることで、第１の植物栽培部の下部に水が滞留することを防止し、かつ、第２の植物栽培部に水を供給することができる。その結果、花や野菜等の根腐れを防止することができる。
また、この仕切部材に仕切部材リブを設けることにより、第１の植物栽培部には第１の栽培溝が形成される。そして、この第１の栽培溝に自然薯等の根菜を植えることとなる。この根菜は第１の栽培溝内で、第１の栽培溝の延在する方向に沿って成育される。このため、根菜を真っ直ぐに育てることができる。
ここでいう根菜とは、根菜類の中で、自然薯、人参、大根、ゴボウなど、杆状に成育したものであって市場価値を有するものをさす。
【０００７】
プランタ（栽培容器）の素材としては、例えば塩化ビニル樹脂、ＡＢＳ樹脂などの硬質かつ高強度の合成樹脂がある。この他、その一部または全部を木材、金属などで構成してもよい。この栽培容器の形状、サイズは平面視して矩形状であれば良く、その寸法などは任意である。
仕切部材としては、プラスチックに穿孔したものや、不織布、金網、木製網、セラミックス網、濾紙、プラスチック製フィルタなどによるものを使用することができる。
この仕切部材は、１枚用いてもよい。また、複数枚用いてもよい。仕切部材を複数用いた場合、プランタの第１の植物栽培部を複数に分割することが可能となる。このため、多くの根菜を栽培することができる。
【０００８】
請求項２に記載の発明は、上記プランタの底板には、上方に向かって突出し、この底板の長さ方向に延びる複数のプランタリブが設けられた請求項１に記載のプランタ装置である。これらのプランタリブにより底板上に複数の栽培用の溝が配置され、これらの栽培用の溝は、底板の長さ方向（長手方向）に延びることとなる。
【０００９】
請求項２に記載の発明によれば、プランタの底板に複数条のプランタリブが設けられている。このように複数条のプランタリブを設けることにより、第２の植物栽培部に第２の栽培溝が形成され、この第２の栽培溝に根菜を植えることができる。根菜は第２の栽培溝内で、第２の栽培溝の延びる方向に沿って伸びて成育される。このため、第１の植物栽培部と第２の植物栽培部とにおいて、それぞれ根菜を真っ直ぐに栽培することが可能である。また、第１の植物栽培部と第２の植物栽培部にて根菜を栽培することが可能であるため、１台のプランタ装置で多くの根菜を栽培することができる。
【００１０】
請求項３に記載の発明は、平面視して矩形の底板と、この底板の外周に立設された側板と、この側板の下端に設けられた排水口と、を有するプランタにおいて、この底板から上方に向かって突出し、この底板の長さ方向に延びる複数のリブが設けられたプランタである。
【００１１】
請求項３によれば、底板に複数のリブを設けることにより栽培溝が形成され、この栽培溝に根菜を植えることができる。根菜は栽培溝内で、栽培溝に沿って伸びて成育される。このため、根菜を真っ直ぐに育てることができるとともに、多くの根菜を１つのプランタで同時に育てることができる。
【発明の効果】
【００１２】
本願発明によれば、仕切部材にリブが複数形成される。これらのリブを設けることにより、植物栽培部に栽培溝が形成される。この栽培溝に根菜を植える。根菜は栽培溝内で、栽培溝に沿って成育される。このため、根菜を真っ直ぐに栽培することができる。また、仕切部材を設けることによって、プランタの内部を第１の植物栽培部と第２の植物栽培部とに分割する。これらの第１の植物栽培部と第２の植物栽培部とにそれぞれ根菜を栽培する。このため、１台のプランタ装置において、同時的に多くの根菜を栽培することができる。また、複数枚の仕切部材を設けることにより、第１の植物栽培部を複数に分割することができ、同時的に多くの根菜を栽培することが可能である。
【図面の簡単な説明】
【００１３】
【図１】本発明の実施例１に係るプランタ装置の縦断面図である。
【図２】本発明の実施例１に係るプランタの斜視図である。
【図３】本発明の実施例２に係るプランタ装置の横断面図である。
【図４】（Ａ）本発明の実施例３に係るプランタ装置の斜視図である。（Ｂ）本発明の実施例３に係る仕切板を示す説明図である。
【図５】本発明の実施例３に係るプランタ装置を示す横断面図である。
【発明を実施するための形態】
【００１４】
本発明の実施例を具体的に説明する。
【実施例１】
【００１５】
実施例１に係るプランタ装置１０は、図１に示すように、箱形のプランタ１１と、プランタ内に組み込まれてプランタ１１の内部を上下二段に分ける仕切板１２とから構成されている。
【００１６】
図２に示すように、植物の栽培容器である上記プランタ１１は、射出成形されたプラスチック製の部材で、側面視して上向きコの字型（上側が開口して）に形成されている。すなわち、このプランタ１１は、所定幅、所定長さの平面視して矩形の底板１１ａと、この底板１１ａの外周縁において上方に向かって立設された所定高さの４枚の側板１１ｂとを有している。
また、この底板１１ａから上方に向かって所定高さだけ突出した状態で、２本のプランタリブ１１ｃが底板１１ａに設けられている。これらのプランタリブ１１ｃはこの底板１１ａの長さ方向（長手方向）に沿って延びるように設けられている。このプランタリブ１１ｃは、断面が台形（上幅が下幅より小さい）の板材である。このプランタリブ１１ｃは上記プランタ１１と一体に成形されている。
これらのプランタリブ１１ｃの高さは、上記側板１１ｂの高さより低い（約１／２〜１／１０とすることができる）。
また、上記プランタ１１の底面は水平面で構成するが、この底面を傾斜させてもよい。すなわち、このプランタ１１の長さ方向の一端部の底面の高さを低くし、その他端部の底面の高さを一端部のそれより高くしてもよい。底面を傾斜面で形成することで水はけを良くすることができる。
このプランタ１１の底板部の長さは１０００〜１２００ｍｍ、その幅は幅２００〜３００ｍｍ、その高さ（深さ）は２００〜３００ｍｍ、プランタリブの高さは１０〜５０ｍｍとすることができる。
さらに、このプランタ１１の長さ方向一端側の側板１１ｂには、その下端の１箇所に、又は複数箇所に排水口１１ｄが設けられている。この排水口１１ｄは、通水性を有する不織布の蓋体で覆われている。
【００１７】
プランタ１１の内部を上下に仕切るための上記仕切板１２は、通水性を有し、軽くて丈夫な板材（底板と略同形の一様に薄い板）である。具体的には、この仕切板１２は、プラスチックス製のトレイで形成され、その長手方向の一端に貫通孔が形成されている。この仕切板１２の上面に２本の仕切部材リブ１２ｃが設けられている。つまり、この仕切板１２は、平面視して矩形の板材１２ａの上面に２本の仕切部材リブ１２ｃが固着されている（一体に成形でもよい）。この仕切板１２の長さは、上記プランタ１１の底板１１ａの長さより短い。また、幅も少しだけ短い。本実施例では、この仕切板１２の長さと、このプランタ１１の底板１１ａの長さの差は１００ｍｍである。
複数の仕切部材リブ１２ｃは、いずれもこの仕切板１２の長さ方向に延びて設けられている。この仕切部材リブ１２ｃの突出高さは１０〜５０ｍｍである。
この仕切板１２は、射出成形等の同時成形により板材１２ａと、仕切部材リブ１２ｃとを一体に形成している。
【００１８】
上記培養土１１０は、自然薯１００の栽培に適している赤土である。
なお、この培養土１１０は作付けする植物によって変更することが好ましい。例えば、人参を栽培するときは、有機栽培土を使用する。
【００１９】
このプランタ装置１０を用いて、自然薯１００を栽培する方法について説明する。
プランタ１１内に培養土を加え、表面を平坦化する。次に、仕切板１２を培養土１１０の表面と、この仕切板１２との成す角度が例えば４５°となるように培養土１１０の表面から地中に向かって埋め込む。
この仕切板１２より上側を第１の植物栽培部として、下側を第２の植物栽培部としてそれぞれ植物を栽培する。培養土１１０に根菜を埋め込むのである。
そして、第１の植物栽培部に水を供給する。第１の植物栽培部に過剰の水を供給しても、仕切板１２を通水して、プランタ１１の下側に形成された第２の植物栽培部に水が供給される。さらに供給すると、プランタ１１の底部に形成された排水口により水が排出される。このため、第１の植物栽培部および第２の植物栽培部に過剰の水を保持することがないため、根腐れを防止することができる。
【００２０】
また、根菜類の栽培、特に自然薯１００の栽培において、パイプ等を使用せずに、形状のよい自然薯１００を栽培することができる。
まず、第１の栽培部に有する仕切部材リブ１２ｃと、仕切部材リブ１２ｃまたは側壁１１ｂと、の間に自然薯１００の種芋を植える。また、第２の栽培部に有するプランタリブ１１ｃと、プランタリブ１１ｃまたは側壁１１ｂと、の間に自然薯１００の種芋１００を植える。この時、種芋の長さ方向とプランタリブ１１ｃ、仕切部材リブ１２ｃの延びる方向とを一致させるように植える。その後、畑での栽培と同様に自然薯を栽培する。このことによって、プランタリブ１１ｃ、仕切部材リブ１２ｃの延びる方向に自然薯１００が成長し、杆状の形状のよい自然薯１００を収穫することができる。
【実施例２】
【００２１】
図３に示すように、実施例２に係るプランタ装置２０は、実施例１のプランタ装置を傾斜させて用いている。
この傾斜の角度は２５°〜４５°である。この傾斜を有することによって、自然に近い状態での栽培が可能となる。
【００２２】
このプランタ装置２０によれば、自然に近い状態で自然薯を栽培することができる。つまり、自然薯の栽培にとって、より適切な環境で自然薯を育成することができる。また、自然薯を多く栽培することが可能である。
【実施例３】
【００２３】
図４（Ａ）に示すように、実施例３に係るプランタ装置３０では、浅いトレイのような平板状の仕切板３２を複数個並べて構成してある。すなわち、矩形トレイである仕切板３２を複数個縦横に並べてプランタ３１に内設した例である。よって、このプランタ３１は細長い開口ではなくほぼ正方形の広い開口を有するのである。この仕切板３２には複数のリブが凸設されて複数の溝を構成している。複数の溝に自然薯などが個別に埋設されることができる。さらに、これらの仕切板３２は広いプランタ３１に盛りつけた培養土による傾斜面に搭載することで図５のように傾斜させることができる。
また、図４（Ｂ）のように、各仕切板３２をそのリブにて切断などすることで、複数の仕切板片３２Ａに分割し、この仕切部材片３２Ａを細長い開口を有するプランタ３１Ａに嵌設してもよい。
このように複数の仕切板３２または仕切板片３２Ａが着脱自在に取り付けることができるため、どのようなプランタ３１（３１Ａ）においても、プランタ装置として利用することが可能である。
実施例３に係るプランタ装置で使用している仕切板３２で隣接したもの同士の着脱を面ファスナによることができ、または両面テープによる貼り合わせを行うこともできる。
図５に示すように、この仕切板３２を傾斜を有するように埋め込まれている。具体的には、プランタ３１内に培養土を加え、表面を平坦化する。次に、この仕切板３２を培養土の表面と、この仕切板３２との成す角度が例えば４５°となるように培養土の表面から地中に向かって埋め込む。このプランタに４枚の仕切板３２が埋め込まれている。その他の構成は実施例１と同様である。
【００２４】
このプランタ装置３０によれば、プランタ３１の大きさによって仕切板３２の大きさを変更することができる。また、平板状の仕切板３２を斜めに埋め込むことによって、多くの自然薯を容易に栽培することが可能なプランタ装置を製造することができる。
【符号の説明】
【００２５】
１０，２０，３０  プランタ装置、
１１，２１，３１  プランタ、
１１ａ  底板、
１１ｂ  側板、
１１ｃ  プランタリブ、
１１ｄ  排水口、
１２，２２，３２  仕切板、
１２ｃ  仕切部材リブ。
【図１】
2010273641.tif 000003
【図２】
2010273641.tif 000004
【図３】
2010273641.tif 000005
【図４】
2010273641.tif 000006
【図５】
2010273641.tif 000007